(57)【要約】【課題】表示画像の移動を効率よく行なうことができる操作装置を提供する。【解決手段】タッチパネルディスプレイ１３０を制御するＣＰＵ３００は、表示パネル１３２に対し、移動可能に表示される複数ページのプレビュー画像を含む画像編集モード画面を表示させる。そして、タッチパネル１３４に対するユーザの操作に基づいて、複数のプレビュー画像のうちのいずれかが選択された状態（第１押圧）であることを検出すると、選択された状態のプレビュー画像を除いた複数のプレビュー画像に対する移動指示（第２押圧及びフリック操作）がなされたか否かを、タッチパネル１３４に対するユーザの操作に基づいて判定し、移動指示がなされたと判定した場合には、選択された状態のプレビュー画像を除いた複数のプレビュー画像をスクロールさせる。【選択図】図３
2012048525.tif 000002
【特許請求の範囲】
【請求項１】
画面を表示する表示手段と、前記表示手段に重ねて配置され、前記画面に対するユーザの操作を受付けるタッチパネルと、を含む操作装置であって、
前記表示手段に対し、移動可能に表示される複数の画像を含む画面を表示させる表示制御手段と、
前記タッチパネルに対するユーザの操作に基づいて、前記複数の画像のうちのいずれかが選択された状態であることを検出する検出手段と、
前記検出手段が前記選択された状態であることを検出しているときに、前記選択された状態の画像を除いた前記複数の画像に対する移動指示がなされたか否かを、前記タッチパネルに対するユーザの操作に基づいて判定する第１の判定手段と、
前記第１の判定手段によって前記移動指示がなされたと判定された場合に、前記選択された状態の画像を除いた前記複数の画像をスクロールさせるスクロール手段と、を含む、操作装置。
【請求項２】
前記操作装置はさらに、前記検出手段が前記選択された状態であることを検出しているときに、前記選択された状態の画像の移動が停止しているか否かを、前記タッチパネルに対するユーザの操作に基づいて判定する第２の判定手段を含み、
前記第１の判定手段は、前記第２の判定手段によって、前記選択された状態の画像の移動が停止していると判定された場合に、前記移動指示がなされたか否かを判定する、請求項１に記載の操作装置。
【請求項３】
前記操作装置はさらに、前記検出手段が前記選択された状態であることを検出しているときに、前記選択された状態の画像の移動が予め定める所定位置で停止しているか否かを、前記タッチパネルに対するユーザの操作に基づいて判定する第２の判定手段を含み、
前記第１の判定手段は、前記第２の判定手段によって、前記選択された状態の画像の移動が予め定める所定位置で停止していると判定された場合に、前記移動指示がなされたか否かを判定する、請求項１に記載の操作装置。
【請求項４】
前記予め定める所定位置は、前記画面の端部である、請求項３に記載の操作装置。
【請求項５】
前記操作装置はさらに、前記第２の判定手段によって、前記選択された状態の画像の移動が予め定める所定位置で停止していると判定された場合に、前記選択された状態の画像を除いた前記複数の画像を、予め定める所定の方向及び予め定める所定速度でスクロールさせる自動スクロール手段を含む、請求項３又は請求項４に記載の操作装置。
【請求項６】
前記操作装置はさらに、前記タッチパネルに対するユーザの操作に基づいて、前記スクロール手段による、スクロールの方向、及び、スクロールの速度を決定する決定手段を含む、請求項１から請求項５のいずれか１つに記載の操作装置。
【請求項７】
第１の判定手段は、前記移動指示がなされたか否かを、前記タッチパネルに対するユーザのフリック操作に基づいて判定し、
前記操作装置はさらに、前記タッチパネルに対するユーザのフリック操作の速度を検出する検出手段を含み、
前記決定手段は、前記検出速度に基づいて、前記スクロールの速度を決定する、請求項６に記載の操作装置。
【請求項８】
請求項１から請求項７のいずれか１つに記載の操作装置を含む、画像形成装置。
【請求項９】
画面を表示する表示手段と、前記表示手段に重ねて配置され、前記画面に対するユーザの操作を受付けるタッチパネルと、を含む操作装置における表示方法であって、
前記表示手段に対し、移動可能に表示される複数の画像を含む画面を表示させる表示ステップと、
前記タッチパネルに対するユーザの操作に基づいて、前記複数の画像のうちのいずれかが選択された状態であることを検出する検出ステップと、
前記検出ステップにて前記選択された状態であることを検出しているときに、前記選択された状態の画像を除いた前記複数の画像に対する移動指示がなされたか否かを、前記タッチパネルに対するユーザの操作に基づいて判定する判定ステップと、
前記判定ステップにて前記移動指示がなされたと判定された場合に、前記選択された状態の画像を除いた前記複数の画像をスクロールさせる移動ステップと、を含む、表示方法。
【発明の詳細な説明】
【技術分野】
【０００１】
本発明は、操作装置、及びその操作装置を含む画像形成装置、並びに、表示方法に関し、特には、画像を移動させる技術に関する。
【背景技術】
【０００２】
従来、タッチパネル一体型表示装置等において、限られた表示領域内により多くの情報を表示させるために、表示画像を移動させたり、スクロールさせたりする技術が知られている。
【０００３】
例えば、後掲の特許文献１には、パネルスイッチを備えるカーソル移動指令入力装置が開示されている。このカーソル移動指令入力装置において、ユーザが指でパネルスイッチを押して移動させると、その押圧位置の中心位置データが逐次記憶されるとともに、移動方向が判定され、判定結果に基づいてカーソルの移動が制御される。
【０００４】
また後掲の特許文献２には、一次元タッチセンサをディスプレイの縦横方向に配置し、各々の１次元タッチセンサ上を操作する指の位置を逐次計算し、計算した位置情報を基にディスプレイ上の画面及びメニュー等のスクロール速度を決定し、決定したスクロール速度に応じた表示画像をディスプレイに逐次表示する入力装置が開示されている。
【０００５】
また後掲の特許文献３には、複数のキー操作子と、複数のキー操作子間の隙間の領域若しくは全てのキー操作子をカバーする領域に形成されたタッチパネルと、を備える操作デバイスを含み、操作デバイス上をユーザが指等によりなぞった時の移動方向及び移動量等に基づいて、表示画面のスクロール等を行なう携帯電話端末が記載されている。
【先行技術文献】
【特許文献】
【０００６】
【特許文献１】特開平７−４４３１９号公報
【特許文献２】特開２００２−３３３９５１号公報
【特許文献３】特開２００６−３０２１８４号公報
【発明の概要】
【発明が解決しようとする課題】
【０００７】
特許文献１〜３に開示される技術では、１つの表示画像の移動又はスクロールしか行なうことができないため、サイズの小さい表示画面内の表示画像を所望の位置まで移動させたい場合等に、表示画像の移動を効率よく行なうことができない。
【０００８】
本発明の目的は、表示画像の移動を効率よく行なうことができる操作装置、及びその操作装置を含む画像形成装置、並びに、表示方法を提供することである。
【課題を解決するための手段】
【０００９】
本発明の第１の局面に係る操作装置は、画面を表示する表示手段と、表示手段に重ねて配置され、画面に対するユーザの操作を受付けるタッチパネルと、を含む操作装置である。この操作装置は、表示手段に対し、移動可能に表示される複数の画像を含む画面を表示させる表示制御手段と、タッチパネルに対するユーザの操作に基づいて、複数の画像のうちのいずれかが選択された状態であることを検出する検出手段と、検出手段が上記した選択された状態であることを検出しているときに、選択された状態の画像を除いた複数の画像に対する移動指示がなされたか否かを、タッチパネルに対するユーザの操作に基づいて判定する第１の判定手段と、第１の判定手段によって移動指示がなされたと判定された場合に、選択された状態の画像を除いた複数の画像をスクロールさせるスクロール手段と、を含む。
【００１０】
このように、タッチパネルに対するユーザの操作によって、画面に表示される複数の画像のうちのいずれかが選択されるとともに、選択された状態の画像を除いた複数の画像に対する移動指示がなされた場合には、選択された状態の画像を除いた複数の画像がスクロールされる。その結果、サイズの小さい表示画面内の表示画像を所望の位置まで移動させたい場合等に、表示画像の移動を効率よく行なうことができる。また２本の指を使用して表示画像の移動に対する指示を出すことができる。したがって、ユーザの利便性が向上する。
【００１１】
好ましくは、操作装置はさらに、検出手段が上記した選択された状態であることを検出しているときに、選択された状態の画像の移動が停止しているか否かを、タッチパネルに対するユーザの操作に基づいて判定する第２の判定手段を含み、第１の判定手段は、第２の判定手段によって、選択された状態の画像の移動が停止していると判定された場合に、移動指示がなされたか否かを判定する。
【００１２】
このように、選択された状態の画像の移動が停止している場合に、選択された状態の画像を除いた複数の画像に対する移動指示がなされたか否かが判定されるので、ユーザの誤操作によって複数の画像のスクロールが行なわれてしまうことを防ぐことができる。したがって、画像の移動をより一層効率よく行なうことができる。
【００１３】
より好ましくは、操作装置はさらに、検出手段が上記した選択された状態であることを検出しているときに、選択された状態の画像の移動が予め定める所定位置で停止しているか否かを、タッチパネルに対するユーザの操作に基づいて判定する第２の判定手段を含み、第１の判定手段は、第２の判定手段によって、選択された状態の画像の移動が予め定める所定位置で停止していると判定された場合に、移動指示がなされたか否かを判定する。
【００１４】
このように、選択された状態の画像の移動が予め定める所定位置で停止している場合に、選択された状態の画像を除いた複数の画像に対する移動指示がなされたか否かが判定されるので、ユーザの誤操作によって複数の画像のスクロールが行なわれてしまうことを防ぐことができる。したがって、画像の移動をより一層効率よく行なうことができる。
【００１５】
さらに好ましくは、上記した予め定める所定位置は、画面の端部である。これによって、ユーザは、タッチパネルに対する操作による、選択された状態の画像を除いた複数の画像に対する移動指示をより一層行ないやすくなる。したがって、画像の移動をさらに効率よく行なうことができる。
【００１６】
さらに好ましくは、操作装置はさらに、第２の判定手段によって、選択された状態の画像の移動が予め定める所定位置で停止していると判定された場合に、選択された状態の画像を除いた複数の画像を、予め定める所定の方向及び予め定める所定の速度でスクロールさせる自動スクロール手段を含む。
【００１７】
このように、選択された状態の画像の移動が予め定める所定位置で停止している場合には、選択された状態の画像を除いた複数の画像が自動的にスクロールされるので、画像の移動をさらに効率よく行なうことができる。また、予め所定位置を定めておくことで、自動スクロールを効率よく開始することができる。
【００１８】
さらに好ましくは、操作装置はさらに、タッチパネルに対するユーザの操作に基づいて、スクロール手段による、スクロールの方向、及び、スクロールの速度を決定する決定手段を含む。これによって、ユーザは、選択された状態の画像を除いた複数の画像を、所望の方向及び所望の速度でスクロールさせることができる。したがって、特に、自動スクロールの速度が遅すぎたり速すぎたりする場合等において、スクロールの方向及び速度の調整が可能になるので、ユーザの利便性がより一層向上する。
【００１９】
さらに好ましくは、第１の判定手段は、移動指示がなされたか否かを、タッチパネルに対するユーザのフリック操作に基づいて判定し、操作装置はさらに、タッチパネルに対するユーザのフリック操作の速度を検出する検出手段を含み、決定手段は、検出速度に基づいて、スクロールの速度を決定する。これによって、ユーザは、選択された状態の画像を除いた複数の画像を、より一層容易に、所望の速度でスクロールさせることができる。したがって、ユーザの利便性がさらに向上する。
【００２０】
本発明の第２の局面に係る画像形成装置は、上記した操作装置を含むので、画像形成対象の画像の並び順等を容易に変更することができる。したがって、ユーザの利便性の高い画像形成装置を提供することができる。
【００２１】
本発明の第３の局面に係る表示方法は、画面を表示する表示手段と、表示手段に重ねて配置され、画面に対するユーザの操作を受付けるタッチパネルと、を含む操作装置における表示方法であって、前記表示手段に対し、移動可能に表示される複数の画像を含む画面を表示させる表示ステップと、タッチパネルに対するユーザの操作に基づいて、複数の画像のうちのいずれかが選択された状態であることを検出する検出ステップと、検出ステップにて上記した選択された状態であることを検出しているときに、選択された状態の画像を除いた複数の画像に対する移動指示がなされたか否かを、タッチパネルに対するユーザの操作に基づいて判定する判定ステップと、判定ステップにて移動指示がなされたと判定された場合に、選択された状態の画像を除いた複数の画像をスクロールさせる移動ステップと、を含む。
【００２２】
このように、タッチパネルに対するユーザの操作によって、画面に表示される複数の画像のうちのいずれかが選択されるとともに、選択された状態の画像を除いた複数の画像に対する移動指示がなされた場合には、選択された状態の画像を除いた複数の画像がスクロールされる。その結果、サイズの小さい表示画面内の表示画像を所望の位置まで移動させたい場合等に、表示画像の移動を効率よく行なうことができる。したがって、ユーザの利便性が向上する。
【発明の効果】
【００２３】
本発明によれば、タッチパネルに対するユーザの操作によって、画面に表示される複数の画像のうちのいずれかが選択されるとともに、選択された状態の画像を除いた複数の画像に対する移動指示がなされた場合には、選択された状態の画像を除いた複数の画像がスクロールされる。その結果、サイズの小さい表示画面内の表示画像を所望の位置まで移動させたい場合等に、表示画像の移動を効率よく行なうことができる。したがって、ユーザの利便性が向上する。
【図面の簡単な説明】
【００２４】
【図１】本発明の一実施の形態に係る画像形成装置の外観構成を示す図である。
【図２】図１に示す画像形成装置の内部構成を簡略化して示す図である。
【図３】図１に示す画像形成装置の電気的構成を示すブロック図である。
【図４】各種動作モードの基本画面の基本レイアウト構成を示す図である。
【図５】コピーモード基本画面の一例を示す図である。
【図６】画像編集モード画面の一例を示す図である。
【図７】ページ順序変更処理を実現するためのコンピュータプログラムの制御構造をフローチャート形式で示す図である。
【図８】ページ順序を変更するときの動作を説明するための図である。
【図９】ページ順序を変更するときの動作を説明するための図である。
【図１０】ページ順序を変更するときの動作を説明するための図である。
【図１１】ページ順序を変更するときの動作を説明するための図である。
【図１２】ページ順序を変更するときの動作を説明するための図である。
【図１３】本発明の一実施の形態の第１の変形例に係るページ順序変更処理を実現するためのコンピュータプログラムの制御構造をフローチャート形式で示す図である。
【図１４】本発明の一実施の形態の第２の変形例に係るページ順序変更処理を実現するためのコンピュータプログラムの制御構造をフローチャート形式で示す図である。
【発明を実施するための形態】
【００２５】
以下の説明及び図面においては、同一の部品には同一の参照符号及び名称を付してある。それらの機能も同様である。したがって、それらについての詳細な説明は繰返さない。
【００２６】
［画像形成装置１００］  
図１〜図３を参照して、本発明の一実施の形態に係る画像形成装置１００は、スキャナ機能、コピー機能、及び、ファクシミリ（以下「ＦＡＸ」と記す。）機能等を備えるＭＦＰ（Ｍｕｌｔｉｆｕｎｃｔｉｏｎ  Ｐｒｉｎｔｅｒ）である。画像形成装置１００は、ユーザによって、スキャナモード、コピーモード及びＦＡＸモード等の動作モードのうちのいずれかが設定されることで、設定された動作モードに対応する処理を実行する。
【００２７】
〈ハードウェア構成〉  
［画像形成装置１００の操作ユニット１２０］  
図１及び図３を参照して、画像形成装置１００は、操作ユニット１２０を含む。操作ユニット１２０は、画像形成装置１００の上部正面側に、ユーザが目視しやすいように傾斜して設けられる板状の操作パネルである。操作ユニット１２０は、操作ユニット１２０の表面の中央部から左側領域にかけて配置されるタッチパネルディスプレイ１３０と、操作ユニット１２０の表面の右側領域に配置される表示操作部１４０と、を含む。タッチパネルディスプレイ１３０と表示操作部１４０とは一つの筐体に保持され、操作ユニット１２０は全体として一体となるように構成される。操作ユニット１２０は、入出力インターフェイス（図示せず。）を介して、後述するＣＰＵ３００と通信を行なう。
【００２８】
タッチパネルディスプレイ１３０は、表示パネル１３２と、タッチパネル１３４とが重ねて構成されるタッチパネル一体型液晶表示装置である。表示パネル１３２には、画像形成装置１００が実行可能な複数の動作モードから所望の動作モードを選択するためのホーム画面（図示せず。）、及び、各種動作モードにおける各種機能及びパラメータの設定等を行なうための基本画面等が表示される。表示パネル１３２の表示動作はＣＰＵ３００によって制御される。例えば、表示パネル１３２に表示される画面にはソフトウェアキーが表示される。このソフトウェアキーをユーザが指で押下すると、タッチパネル１３４がその押下された位置を検出する。ＣＰＵ３００は、プログラム上でソフトウェアキーの表示位置とタッチパネルが押された位置とを照合し、その照合結果に基づいて、動作モードの選択、各種機能及びパラメータの設定、並びに動作指示等を行なう。タッチパネルディスプレイ１３０のサイズ及び形状としては、特に限定されないが、例えば、１０２４ピクセル×６００ピクセルの横長の長方形状のもの等を使用できる。
【００２９】
表示操作部１４０は、表示灯１４２、並びに、電源キー１４４、省エネルギーキー（以下「省エネキー」と記す。）１４６、及びホームキー１４８等の各種ハードウェアキーを含む。表示灯１４２は、例えばＬＥＤ（Ｌｉｇｈｔ  Ｅｍｉｔｔｉｎｇ  Ｄｉｏｄｅ）を備え、画像形成装置１００が電源オンであるときに点灯する。
【００３０】
電源キー１４４は、画像形成装置１００の電源のオン・オフを行なうためのキーである。
【００３１】
省エネキー１４６は、通常モードから省エネモードへの移行指示又は省エネモードから通常モードへの移行指示を行なうためのキーである。なお、省エネモードへの移行は、省エネキー１４６が押下された場合だけでなく、ユーザによる操作がない状態で予め定める所定時間が経過した場合においても実行される。ここで、通常モードとは、電源がオンの状態であって、全ての動作モードが実行可能な状態を示す。省エネモードとは、電源がオンの状態であって、一部の動作モードのみが実行可能な状態を示す。
【００３２】
ホームキー１４８は、ホーム画面（図示せず。）への移行指示を行なうためのキーである。例えば、ユーザによってホームキー１４８が押下されると、表示パネル１３２には、コピーモードを選択するためのソフトウェアキーであるアイコン、及び、ＦＡＸモードを選択するためのソフトウェアキーであるアイコン等を含むホーム画面が表示される。
【００３３】
ホーム画面に表示される上記アイコンに対するユーザの選択操作によって、コピーモード及びＦＡＸモード等の動作モードのうちのいずれかが選択されると、表示パネル１３２には、選択された動作モードの基本画面が表示される。上記した選択操作とは、当該分野において一般的に使用される操作であれば特に限定されないが、例えば、タッチ操作（ユーザによる押下位置に基づく入力操作）及び、ジェスチャー操作（ユーザによる操作軌跡に基づく入力操作）等がある。
【００３４】
図４を参照して、各種動作モードの基本画面は、システム領域１０００、機能設定／確認領域（以下「機能選択領域」と記す。）２０００、プレビュー領域３０００、アクションパネル領域４０００、及び、タスクトリガー領域５０００を含む５つの領域からなる。これらの５つの領域は、基本レイアウトに従って以下のように配置される。すなわち、システム領域１０００は基本画面の最上部に配置される。プレビュー領域３０００は基本画面の中央部に配置される。機能選択領域２０００は、基本画面においてプレビュー領域３０００に対して左側に配置される。アクションパネル領域４０００は、基本画面においてプレビュー領域３０００に対して右側上部に配置される。タクストリガー領域５０００は、基本画面においてプレビュー領域３０００に対して右側下部に配置される。上記した各種動作モードの基本画面を構成する５つの領域及び基本レイアウトは、全ての動作モードにおいて共通する。
【００３５】
以下、上記した各種動作モードの基本画面の一例として、コピーモードの基本画面について説明する。
【００３６】
［コピーモード基本画面７１００］  
図５を参照して、コピーモード基本画面７１００のシステム領域１０００には、コピーモードであることを示す「コピー」という文字列１１０２、ログイン中のユーザ名１１０４、ログアウトの実行を要求するためのログアウトキー１１０６、及び、現在時刻１１０８等が表示される。
【００３７】
コピーモード基本画面７１００の機能選択領域２０００には、コピーモードに関する各種機能及びパラメータ等の条件の設定変更を行なうための各種設定キーが表示される。本実施の形態では、各種設定キーとして、コピー部数を変更するためのキー２１０２、カラーモードを切替えるためのキー２１０４、コピー濃度を変更するためのキー２１０６、コピー倍率を変更するためのキー２１０８、使用する記録用紙のサイズ等を変更するためのキー２１１０、原稿のサイズ等を変更するためのキー２１１２、画像編集を行なうためのキー２１１４、及び、レイアウト編集を行なうためのキー２１１６が表示される。ユーザによって設定キー２１０２〜２１１６のいずれかがタッチされた場合には、表示パネル１３２には、押下されたキーに対応する設定画面（例えば、濃度設定画面、倍率設定画面、及び原稿設定画面等）が表示される。上記した設定キー２１０２〜２１１６には、各キーに対応する機能を表す簡単な絵柄と文字列とが表示される。例えば、キー２１０２には、コピー部数の変更機能を表す絵柄と、「部数」という文字列及び設定されたコピー部数を示す数値と、が表示される。
【００３８】
機能選択領域２０００における上記した各種設定キー２１０２〜２１１６の下方には、各種設定キー２１０２〜２１１６の表示スタイルを変更するための変更キー２０１２，２０１４が表示される。変更キー２０１２は、予め「お気に入り」登録された機能に関する設定キーを表示させるためのキーである。変更キー２０１４は、設定変更された機能に関する設定キーのみを表示させるためのキーである。本実施の形態では、変更キー２０１２が選択され、機能選択領域２０００には、コピーモードにおいて予め「お気に入り」登録された機能に関する設定キーが表示されるものとする。
【００３９】
なお、機能選択領域２０００において、表示対象の全ての設定キーを表示しきれない場合には、各種設定キーは上下方向にスクロール可能に表示される。このとき、変更キー２０１２，２０１４の表示位置は固定されたままである。ユーザは、画面上下方向のフリック操作等によって、各種設定キーの表示部分を上下方向に切替えることができる。ここで、フリック操作とは、表示部分を所定方向に向けて指で軽く払う操作を示す。
【００４０】
コピーモード基本画面７１００のプレビュー領域３０００には、原稿読取部１０２によって読取られたスキャンデータ等の画像データに基づくプレビュー画像３１０２が表示される。プレビュー領域３０００において、プレビュー画像３１０２の上方には、後述する画像編集モード画面７３００（図６参照）への移行指示を行なうための編集キー３１０４が表示される。
【００４１】
プレビュー領域３０００において、プレビュー画像３１０２の下方には、プレビュー変更キー３０１２〜３０１８、及び、スライダー３０２０が表示される。変更キー３０１２は、プレビュー画像３１０２を回転させるためのキーである。変更キー３０１４〜３０１８は、プレビュー画像３１０２の表示スタイルを変更するためのキーである。変更キー３０１４が選択されると、プレビュー領域３０００には、複数ページのプレビュー画像３１０２が縮小された状態で表示される。変更キー３０１６が選択されると、プレビュー領域３０００には、複数ページのプレビュー画像３１０２が重ねられた状態で表示される。変更キー３０１８が選択されると、プレビュー領域３０００には、１ページのみのプレビュー画像３１０２が表示される。本実施の形態では、変更キー３０１８が選択されているものとする。スライダー３０２０は、プレビュー画像３１０２を拡大及び縮小するために使用される。
【００４２】
コピーモード基本画面７１００のアクションパネル領域４０００には、コピーモードにおけるおすすめ機能を実行するための各種実行キーが表示される。ここで、おすすめ機能とは、ユーザによって選択された機能と過去に組合せて選択されたことのある機能を示す。本実施の形態では、上記各種実行キーとして、複数ページの画像データから白紙ページの画像データを削除するためのキー４１０２、複数ページの画像データに対して白紙ページの画像データを挿入するためのキー４１０４、複数ページの画像データのページ順序を入れ替えるためのキー４１０６、及び、用紙節約機能を実行するためのキー４１０８が表示される。
【００４３】
コピーモード基本画面７１００のタスクトリガー領域５０００には、スキャンインキー５１０２、クリアオールキー５１０４、モノクロスタートキー５１０６、及び、カラースタートキー５１０８が表示される。スキャンインキー５１０２は、原稿をスキャンし、得られたスキャンデータに基づくプレビュー画像３１０２をプレビュー領域３０００に表示させるスキャンイン処理の実行を開始するためのキーである。クリアオールキー５１０４は、設定変更された機能及びパラメータ等を全てキャンセルし、設定をデフォルト状態へ戻すためのキーである。モノクロスタートキー５１０６は、原稿をスキャンし、得られた画像データ（又はスキャンイン処理によって得られたスキャンデータ）に基づくモノクロコピー処理の実行を開始するためのキーである。カラースタートキー５１０８は、原稿をスキャンし、得られた画像データ（又はスキャンイン処理によって得られたスキャンデータ）に基づくカラーコピー処理の実行を開始するためのキーである。上記したように、本明細書では、スキャンイン処理によってスキャンされた画像データのことをスキャンデータと記すことで、他の画像データと区別する。
【００４４】
［画像編集モード画面７３００］  
上記したように、ユーザによって、コピーモード基本画面７１００のプレビュー領域３０００に表示される編集キー３１０４がタッチされると、表示パネル１３２には、画像編集モード画面７３００が表示される。
【００４５】
図６を参照して、画像編集モード画面７３００の最上部には、コピーモード基本画面７１００と同じ構成のシステム領域１０００が設けられる。
【００４６】
画像編集モード画面７３００の中央部から右側領域にかけて、コピーモード基本画面７１００と比較して拡大された状態のプレビュー領域３０００が設けられる。このプレビュー領域３０００には、複数ページのプレビュー画像３１０２Ａ〜３１０２Ｄ（以下、総称して「プレビュー画像３１０２」と記す場合がある。）が、画面左右方向にスクロール可能に表示される。複数ページのプレビュー画像３１０２Ａ〜３１０２Ｄは、画面左側から右側に向けて、ページ番号が昇順に付されている。プレビュー領域３０００において、複数ページのプレビュー画像３１０２の下方には、上記したプレビュー変更キー３０１２〜３０１８、及び、スライダー３０２０に加えて、画像編集モードの解除を要求するためのＯＫキー３０１９と、画像データ等を削除するためのごみ箱アイコン３０２２と、が表示される。プレビュー領域３０００において、複数ページのプレビュー画像３１０２の上方には、消しゴムキー及び鉛筆キー等を含む各種画像編集キー３０３０〜３０３４が表示される。
【００４７】
画像編集モード画面７３００においてプレビュー領域３０００に対して左側には、コピーモード基本画面７１００と比較して縮小された状態の機能選択領域２０００が表示される。この機能選択領域２０００に表示される各種設定キー２１０２〜２１１６には、各キーに対応する機能を表す簡単な絵柄のみが表示される。したがって、各種設定キー２１０２〜２１１６のサイズは、コピーモード基本画面７１００と比較して小さくなる。機能選択領域２０００において、各種設定キー２１０２〜２１１６の下方には、変更キー２０１２，２０１４の表示を要求するための矢印キー２０１６が表示される。
【００４８】
プレビュー領域３０００の右端部上部には、タブキー３１０６が表示される。ユーザによって、このタブキー３１０６に対して画面右側から左側に向かうフリック操作等がなされると、コピーモード基本画面７１００と同じ構成のアクションパネル領域４０００が、プレビュー領域３０００の前面に表示される。
【００４９】
プレビュー領域３０００の右端部下部には、コピーモード基本画面７１００と同じ構成のタスクトリガー領域５０００が、その一部のみが確認できる状態で表示される。したがって、画像編集モード画面７３００では、タスクトリガー領域５０００に含まれる各種キー５１０２〜５１０８は、使用することができない。
【００５０】
［画像形成装置１００の全体構成］  
図１〜図３を参照して、画像形成装置１００は、上記した操作ユニット１２０に加えて、原稿読取部１０２、画像形成部１０４、給紙部１０６、及び、排紙処理装置１０８を含む。以下、コピーモード及びＦＡＸモードにおける動作を説明することによって、画像形成装置１００全体のハードウェア構成の説明とする。
【００５１】
−コピーモード−  
本実施の形態において、コピーモードでは、主として、原稿読取部１０２及び画像形成部１０４が動作することによって、スキャンイン処理、モノクロコピー処理、及び、カラーコピー処理のうちのいずれかが実行される。
【００５２】
（スキャンイン処理）  
ホーム画面（図示せず。）にてコピーモードが選択された後、スキャンインキー５１０２がタッチされると、手動又はＡＤＦによって原稿載置台に載置された原稿は原稿読取部１０２によってスキャンデータとして読取られる。読取られたスキャンデータは、ＣＰＵ３００に入力される。ＣＰＵ３００は、入力されたスキャンデータに対して各種画像処理を施した後、コピーモード基本画面７１００のプレビュー領域３０００に対し、スキャンデータに基づくプレビュー画像３１０２を表示させる。このとき、画像データは、記憶装置（例えば、図３に示すＲＡＭ（Ｒａｎｄｏｍ  Ａｃｃｅｓｓ  Ｍｅｍｏｒｙ）３０８）に一時的に記憶される。
【００５３】
（通常のモノクロコピー処理及びカラーコピー処理）  
ホーム画面（図示せず。）にてコピーモードが選択された後、上記したスキャンイン処理が行なわれていない状態で、モノクロスタートキー５１０６又はカラースタートキー５１０８がタッチされると、手動又はＡＤＦによって原稿載置台に載置された原稿が原稿読取部１０２によって画像データとして読取られる。読取られた画像データは、図３に示すマイクロコンピュータ等から構成されるＣＰＵ３００に入力され、ここで各種の画像処理が施された後、画像形成部１０４に対して出力される。
【００５４】
画像形成部１０４は、画像データに基づいて原稿画像を記録媒体（多くの場合、記録用紙）に印刷する。画像形成部１０４は、感光体ドラム２２２、帯電装置２２４、レーザスキャンユニット（以下、「ＬＳＵ」と記す。）２２６、現像装置２２８、転写装置２３０、クリーニング装置２３２、定着装置２３４、及び図示しない除電装置等を含む。
【００５５】
画像形成部１０４には、主搬送路２３６及び反転搬送路２３８が設けられる。給紙部１０６は、用紙カセット２４０に収納される記録用紙、又は手差トレイ２４２に載置される記録用紙を１枚ずつ引出し、引出した記録用紙を画像形成部１０４の主搬送路２３６に向けて送り出す。給紙部１０６から給紙された記録用紙は、主搬送路２３６に沿って搬送される。
【００５６】
主搬送路２３６に沿って記録用紙が搬送される途中において、記録用紙は感光体ドラム２２２と転写装置２３０との間を通過し、さらに定着装置２３４を通過する。この過程において、記録用紙に対する原稿画像の印刷が行なわれる。
【００５７】
感光体ドラム２２２は、一方向に回転する。感光体ドラム２２２の表面は、クリーニング装置２３２と除電装置とによりクリーニングされた後、帯電装置２２４により均一に帯電される。
【００５８】
ＬＳＵ２２６は、印刷対象の画像データに基づいてレーザ光を変調する。そして、このレーザ光によって感光体ドラム２２２の表面を主走査方向に繰返し走査することで、静電潜像を感光体ドラム２２２の表面に形成する。
【００５９】
現像装置２２８は、トナーを感光体ドラム２２２の表面に供給して静電潜像を現像する。これによって、トナー像が感光体ドラム２２２の表面に形成される。モノクロコピー処理が実行される場合には、現像装置２２８は、モノクロトナーを供給する。カラーコピー処理が実行される場合には、現像装置２２８は、イエロー（Ｙ）、マゼンタ（Ｍ）、シアン（Ｃ）、及びブラック（Ｋ）からなるカラートナーを供給する。
【００６０】
転写装置２３０は、当該転写装置２３０と感光体ドラム２２２との間を通過する記録用紙に対し、感光体ドラム２２２の表面に形成されたトナー像を転写する。
【００６１】
定着装置２３４は、記録用紙を加熱するための加熱ローラ２４８と、記録用紙を加圧するための加圧ローラ２５０とを含む。記録用紙上に転写されたトナー像は、加熱ローラ２４８によって加熱され、かつ、加圧ローラ２５０によって加圧されることによって、記録用紙に定着される。加熱ローラ２４８の温度は、定着装置２３４へ供給される電力によって、例えば加熱ローラ２４８内部に設けられるヒータを温めることで、定着に適した温度になるように制御されている。
【００６２】
主搬送路２３６と反転搬送路２３８との接続位置には、分岐爪２４４が配設されている。記録用紙の片面のみに原稿画像の印刷を行なう場合には、分岐爪２４４が位置決めされ、この分岐爪２４４により定着装置２３４から搬送される記録用紙が排紙トレイ２４６又は排紙処理装置１０８の方へと導かれる。
【００６３】
記録用紙の両面に原稿画像の印刷を行なう場合には、分岐爪２４４が所定方向に回動され、この分岐爪２４４により定着装置２３４から搬送される記録用紙が反転搬送路２３８の方へと導かれる。記録用紙は、反転搬送路２３８を通過して、その表裏を反転された状態で主搬送路２３６へと再び搬送される。主搬送路２３６における再度の搬送途中において、記録用紙の裏面への原稿画像の印刷が行なわれる。印刷が行なわれた記録用紙は、排紙トレイ２４６又は排紙処理装置１０８の方へと導かれる。
【００６４】
上述のようにして原稿画像が印刷された記録用紙は、排紙トレイ２４６又は排紙処理装置１０８の方へと導かれて、排紙トレイ２４６に排出されるか、又は、排紙処理装置１０８の各排紙トレイ１１０のいずれかに排出される。
【００６５】
排紙処理装置１０８では、複数の記録用紙を各排紙トレイ１１０に仕分けして排出する処理、記録用紙にパンチングする処理、及び、記録用紙にステープルする処理等を施す。排紙処理装置１０８は、例えば、複数部の印刷物を作成する場合には、各排紙トレイ１１０に印刷物の一部ずつが割り当てられるように、記録用紙を各排紙トレイ１１０に仕分けして排出し、排紙トレイ１１０毎に、排紙トレイ１１０上の記録用紙にパンチング処理又はステープル処理を施して印刷物を作成する。
【００６６】
（スキャンイン処理後のモノクロコピー処理及びカラーコピー処理）  
ホーム画面（図示せず。）にてコピーモードが選択され、上記したスキャンイン処理が行なわれた後で、モノクロスタートキー５１０６又はカラースタートキー５１０８がタッチされる場合がある。この場合には、上記した原稿画像のスキャン及び画像データに対する画像処理は行なわれず、画像形成部１０４は、スキャンイン処理時に読取られ、記憶装置に一時的に記憶されるスキャンデータに基づいて、上記と同様にして画像形成処理を行なう。
【００６７】
−ＦＡＸモード−  
本実施の形態において、ＦＡＸモードでは、原稿読取部１０２及び図３に示すＦＡＸ通信部１６０が動作することによって、スキャンイン処理及びＦＡＸ送信処理が実行される。また、ＦＡＸ通信部１６０が動作することによって、ＦＡＸ通信処理が実行される。さらに、ＦＡＸ通信部１６０及び画像形成部１０４が動作することによって、ＦＡＸ受信処理が実行される。
【００６８】
（スキャンイン処理）  
ホーム画面（図示せず。）にてＦＡＸモードが選択された後、ＦＡＸモードの基本画面（図示せず。）に表示されるスキャンインキー（図示せず。）がタッチされると、手動又はＡＤＦによって原稿載置台に載置された原稿は原稿読取部１０２によってスキャンデータとして読取られる。読取られたスキャンデータは、ＣＰＵ３００に入力される。ＣＰＵ３００は、入力されたスキャンデータに対して各種画像処理を施した後、ＦＡＸモードの初期画面（図示せず。）のプレビュー領域３０００に対し、画像データに基づくプレビュー画像を表示させる。このとき、画像データは、記憶装置（例えば、図３に示すＲＡＭ３０８）に一時的に記憶される。
【００６９】
（通常のＦＡＸ送信処理）  
ホーム画面（図示せず。）にてＦＡＸモードが選択された後、スキャンイン処理が行なわれていない状態で、ＦＡＸモードの基本画面（図示せず。）に表示されるスタートキー（図示せず。）がタッチされると、手動又はＡＤＦによって原稿載置台に載置された原稿は原稿読取部１０２によって画像データとして読取られる。読取られた画像データは、ＣＰＵ３００に入力され、ここで各種の画像処理が施された後、ＦＡＸ通信部１６０に対して出力される。
【００７０】
一方、ホーム画面（図示せず。）にてＦＡＸモードが選択され、上記したスキャンイン処理が行なわれた後で、スタートキー（図示せず。）がタッチされる場合がある。この場合には、上記した原稿画像のスキャン及び画像データに対する画像処理は行なわれず、スキャンイン処理時に読取られ、記憶装置に一時的に記憶されるスキャンデータが、ＦＡＸ通信部１６０に対して出力される。
【００７１】
送信側の画像形成装置１００のＦＡＸ通信部１６０は、送信側の回線を指定された送信先に接続し、入力された画像データ又はスキャンデータをファクシミリ通信規格に合致した通信データへ変換して、受信側のファクシミリ装置（例えばファクシミリ機能を備えた画像形成装置１００）に対して送信する。
【００７２】
（ＦＡＸ通信処理）  
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側及び受信側で互いに実装されている能力情報の受渡しを行ない、利用可能な最大能力での通信速度及び画像データの符号化／符号訂正方式等を決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へとデータが送信される。送信が終了すると回線が切断される。
【００７３】
（ＦＡＸ受信処理）  
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同様にして、受信したデータから変換された画像データに基づく画像を記録用紙に印刷する。
【００７４】
〈電気的構成〉  
図３を参照して、画像形成装置１００は、コピーモード及びＦＡＸモード等の各種動作モードに関する各種機能及びパラメータの設定が可能な操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域を提供するハードディスクを含むＨＤＤ３０２と、プログラムを実行する際に記憶領域を提供するＲＡＭ３０８と、を含む。
【００７５】
画像形成装置１００はさらに、原稿読取部１０２、画像形成部１０４、ＦＡＸ通信部１６０、操作ユニット１２０、ＨＤＤ３０２、ＲＯＭ３０６、ＲＡＭ３０８、及び、ネットワークＩ／Ｆ３０４に接続されるバス３１０と、バス３１０に接続され、上記した各部を制御して画像形成装置としての一般的機能を実現するためのＣＰＵ３００と、を含む。
【００７６】
ＨＤＤ３０２には、原稿読取部１０２にてスキャンされた画像データ等の各種データが記憶される。ＲＯＭ３０６には、画像形成装置１００の一般的な動作を実現するためのコンピュータプログラムとともに、後述するページ順序変更処理を実現するためのコンピュータプログラムが記憶される。ＲＯＭ３０６にはさらに、コピーモード及びＦＡＸモード等の各種動作モードの基本画面を表示するための基本画面データが記憶される。
【００７７】
ＲＡＭ３０８は、ＣＰＵ３００による演算及び処理の結果を一時的に記憶するワーキングメモリとしての機能と、画像データを記憶するフレームメモリとしての機能とを提供する。ＣＰＵ３００は、ＲＯＭ３０６に格納されているコンピュータプログラムに従って画像形成装置１００の各機能に関する制御を実行する。すなわち、原稿読取部１０２、画像形成部１０４、操作ユニット１２０のタッチパネルディスプレイ１３０及び表示操作部１４０、ＨＤＤ３０２、ＲＯＭ３０６、並びに、ＲＡＭ３０８等の各部に対する制御は、ＣＰＵ３００が所定のコンピュータプログラムを実行することによって実現される。
【００７８】
図３を参照して、画像形成装置１００のＦＡＸ通信部１６０には、画像データの送受信用に公衆回線が接続され、ネットワークＩ／Ｆ３０４には、ネットワーク回線が接続される。このネットワーク回線には、画像形成装置１００をネットワーク対応のプリンタとして使用するコンピュータが接続されたり、インターネットを介して指定されたＵＲＬにより特定されるコンピュータが接続されたりする。このようにネットワーク回線を通じてインターネットに接続される画像形成装置１００は、インターネットを介して、外部装置から必要な情報を取得することができる。
【００７９】
〈ソフトウェア構成〉  
（ページ順序変更処理）  
ページ順序変更処理を実現するためのプログラムは、表示パネル１３２に、上記した画像編集モード画面７３００が表示されることによって起動される。
【００８０】
図７を参照して、このプログラムは、第１押圧があるか否かを判定するステップＳ１０００を含む。ここで、第１押圧とは、画像編集モード画面７３００のプレビュー領域３０００に表示される複数ページのプレビュー画像３１０２のうちのいずれかが、ユーザによって押下されることで選択されることを示す。
【００８１】
このプログラムはさらに、ステップＳ１０００にて、第１押圧があると判定された場合（ＹＥＳの場合）に実行され、押下されたページのプレビュー画像３１０２に対してドラッグ操作がなされたか否かを判定するステップＳ１００１を含む。ここで、ドラッグ操作とは、表示部分（この場合プレビュー画像３１０２）を指で押下した状態のまま、その指を画面上で移動させる操作を示す。
【００８２】
このプログラムはさらに、ステップＳ１００１にて、ドラッグ操作がなされたと判定された場合（ＹＥＳの場合）に実行され、ドラッグ操作の移動軌跡に応じて、押下されたページのプレビュー画像３１０２を移動させるステップＳ１００２と、ステップＳ１００１にて、ドラッグ操作がなされていないと判定された場合（ＮＯの場合）、又は、ステップＳ１００２の処理後に実行され、第１押圧が維持されているか否かを判定するステップＳ１００３と、を含む。
【００８３】
このプログラムはさらに、ステップＳ１００３にて、第１押圧が維持されていると判定された場合（ＹＥＳの場合）に実行され、プレビュー画像３１０２が画面端部に到達したか否かを判定するステップＳ１００４を含む。ステップＳ１００４にて、プレビュー画像３１０２が画面端部に到達していないと判定された場合（ＮＯの場合）には、制御はステップＳ１００１に戻る。
【００８４】
このプログラムはさらに、ステップＳ１００４にて、プレビュー画像３１０２が画面端部に到達したと判定された場合（ＹＥＳの場合）に実行され、第２押圧があるか否かを判定するステップＳ１００５を含む。ここで、第２押圧とは、第１押圧が維持された状態で、押下された状態のプレビュー画像３１０２の背景部分（押下された状態のプレビュー画像３１０２を除いた複数のプレビュー画像３１０２を含む領域）が、ユーザによって押下されることを示す。ステップＳ１００５にて、第２押圧がないと判定された場合（ＮＯの場合）には、制御はステップＳ１００１に戻る。
【００８５】
このプログラムはさらに、ステップＳ１００５にて、第２押圧があると判定された場合（ＹＥＳの場合）に実行され、押下された状態のプレビュー画像３１０２の背景部分に対してフリック操作がなされたか否かを判定するステップＳ１００６と、ステップＳ１００６にて、フリック操作がなされたと判定された場合（ＹＥＳの場合）に実行され、プレビュー画像３１０２の背景部分をスクロールさせるステップＳ１００７と、を含む。ステップＳ１００７にて、スクロールの方向及び速度は、タッチパネル１３４が検出したフリック操作の方向及び速度に基づいて決定される。ステップＳ１００６にて、フリック操作がなされていないと判定された場合（ＮＯの場合）、又は、ステップＳ１００７の処理後には、制御はステップＳ１００５に戻る。
【００８６】
このプログラムはさらに、ステップＳ１００３にて、第１押圧が維持されていないと判定された場合（ＮＯの場合）に実行され、押圧されていたプレビュー画像３１０２を、プレビュー画像３１０２の背景部分における、当該プレビュー画像３１０２が現在表示されている位置に挿入することで、プレビュー画像３１０２の移動位置を確定するステップＳ１００８を含む。ステップＳ１００８の処理後、制御はステップＳ１０００に戻る。
【００８７】
このプログラムはさらに、ステップＳ１０００にて、第１押圧がないと判定された場合（ＮＯの場合）に実行され、画像編集モードの解除が要求されたか否かを判定するステップＳ１００９と、ステップＳ１００９にて、画像編集モードの解除が要求されたと判定された場合（ＹＥＳの場合）に実行され、画像編集モードを解除するステップＳ１０１０と、を含む。ステップＳ１００９にて、画像編集モードの解除が要求されていないと判定された場合（ＮＯの場合）には、制御はステップＳ１０００に戻る。
【００８８】
〈動作〉  
図１〜図１２を参照して、画像形成装置１００は、以下のように動作する。以下の動作を除く、画像形成装置１００の一般的な動作は、従来の画像形成装置の動作と同じである。なお、以下の動作において、画像形成装置１００は、電源が投入された状態であるものとする。
【００８９】
ユーザは、表示操作部１４０のホームキー１４８を押下する。ホームキー１４８が押下されると、表示パネル１３２には、ホーム画面（図示せず。）が表示される。ユーザは、ホーム画面に表示される、コピーモードを選択するためのアイコンをタッチする。上記したタッチ操作がなされると、表示パネル１３２には、コピーモード基本画面７１００（図５参照）が表示される。ユーザは、ＡＤＦに複数の原稿を載置し、タスクトリガー領域５０００に表示されるスキャンインキー５１０２をタッチする。スキャンインキー５１０２がタッチされると、上記したスキャンイン処理が実行され、プレビュー領域３０００には、複数のスキャンデータに基づく複数ページのプレビュー画像３１０２のうちの１ページ分が表示される。
【００９０】
ユーザは、複数のプレビュー画像３１０２の画像編集を所望し、コピーモード基本画面７１００に表示される編集キー３１０４をタッチする。編集キー３１０４がタッチされると、表示パネル１３２には、画像編集モード画面７３００（図６参照）が表示される。
【００９１】
図８を参照して、ユーザは、画像編集モード画面７３００を確認し、プレビュー領域３０００に表示される複数ページのプレビュー画像３１０２Ａ〜３１０２Ｄの中から所望のページのプレビュー画像３１０２Ｂを選択して、右手６０００の人差し指で押下する。プレビュー画像３１０２Ｂが押下されると、ＣＰＵ３００は、第１押圧があると判定する（ステップＳ１０００にてＹＥＳ）。
【００９２】
（押下しているプレビュー画像３１０２Ｂの背景部分に所望の挿入位置が表示されていない場合の動作）  
図９を参照して、ユーザは、プレビュー画像３１０２Ｂを押下した状態のまま、右手６０００の人差し指を、画面右方向に移動させる。上記した指の移動がなされると、ＣＰＵ３００は、ドラッグ操作がなされたと判定し（ステップＳ１００１にてＹＥＳ）、ドラッグ操作の移動軌跡に応じて、押下されたページのプレビュー画像３１０２Ｂを移動させる（ステップＳ１００２）。このとき、プレビュー領域３０００では、プレビュー画像３１０２Ｂの画面右方向の移動に伴って、プレビュー画像３１０２Ｂに後続するページのプレビュー画像３１０２Ｃ，３１０２Ｄ等が、１ページ分ずつ繰上げられて表示される。ＣＰＵ３００は、第１押圧が維持されていると判定するとともに（ステップＳ１００３にてＹＥＳ）、プレビュー画像３１０２Ｂが画面端部に到達していないと判定する間は（ステップＳ１００４にてＮＯ）、上記したプレビュー画像３１０２Ｂの移動動作を繰返す（ステップＳ１００１、ステップＳ１００２）。
【００９３】
図１０を参照して、ユーザは、プレビュー画像３１０２Ｂを画面右端部まで移動させると、プレビュー画像３１０２Ｂを押下した状態のままドラッグ操作を停止する。ＣＰＵ３００は、第１押圧が維持されていると判定するとともに（ステップＳ１００３にてＹＥＳ）、プレビュー画像３１０２Ｂが画面端部に到達したと判定する（ステップＳ１００４にてＹＥＳ）。
【００９４】
図１１を参照して、ユーザは、画面右端部のプレビュー画像３１０２Ｂを右手６０００の人差し指で押下した状態のまま、押下しているプレビュー画像３１０２Ｂの背景部分を左手６００２の人差し指で押下する。背景部分が押下されると、ＣＰＵ３００は、第２押圧があると判定する（ステップＳ１００５にてＹＥＳ）。
【００９５】
図１２を参照して、ユーザは、左手６００２の人差し指の指先で、背景部分を画面左方向に複数回軽く払う。上記した指の移動がなされると、ＣＰＵ３００は、フリック操作がなされたと判定し（ステップＳ１００６にてＹＥＳ）、押下されているプレビュー画像３１０２Ｂの背景部分をスクロールさせる（ステップＳ１００７）。このとき、スクロールの方向及び速度は、タッチパネル１３４が検出したフリック操作の方向及び速度に基づいて決定される。ユーザは、背景部分に所望の挿入位置が表示されるまで、上記したフリック操作を繰返す（ステップＳ１００５〜ステップＳ１００７）。
【００９６】
ユーザは、背景部分に所望の挿入位置が表示されると、フリック操作を停止する。フリック操作が停止されると、ＣＰＵ３００は、第２押圧がないと判定する（ステップＳ１００５にてＮＯ）。
【００９７】
フリック操作の停止後、ユーザは、プレビュー画像３１０２Ｂから、右手６０００の人差し指を離す。右手６０００の人差し指が離されると、ＣＰＵ３００は、ドラッグ操作はなされていないと判定するとともに（ステップＳ１００１にてＮＯ）、第１押圧が維持されていないと判定し（ステップＳ１００３にてＮＯ）、押圧されていたプレビュー画像３１０２Ｂを、プレビュー画像３１０２Ｂの背景部分における、当該プレビュー画像３１０２Ｂが現在表示されている位置に挿入することで、プレビュー画像３１０２Ｂの移動位置を確定する（ステップＳ１００８）。
【００９８】
（押下しているプレビュー画像３１０２Ｂの背景部分に所望の挿入位置が表示されている場合の動作）  
図９を参照して、ユーザは、プレビュー画像３１０２Ｂを押下した状態のまま、右手の人差し指を、画面右方向に移動させる。上記した指の移動がなされると、ＣＰＵ３００は、ドラッグ操作がなされたと判定し（ステップＳ１００１にてＹＥＳ）、ドラッグ操作の移動軌跡に応じて、押下されたページのプレビュー画像３１０２Ｂを移動させる（ステップＳ１００２）。ＣＰＵ３００は、第１押圧が維持されていると判定するとともに（ステップＳ１００３にてＹＥＳ）、プレビュー画像３１０２Ｂが画面端部に到達していないと判定する間は（ステップＳ１００４にてＮＯ）、上記したプレビュー画像３１０２Ｂの移動動作を繰返す（ステップＳ１００１、ステップＳ１００２）。
【００９９】
ユーザは、プレビュー画像３１０２Ｂを所望の挿入位置まで移動させると、ドラッグ操作を停止して、プレビュー画像３１０２Ｂから右手６０００の人差し指を離す。右手６０００の人差し指が離されると、ＣＰＵ３００は、第１押圧が維持されていないと判定し（ステップＳ１００５にてＮＯ）、押圧されていたプレビュー画像３１０２Ｂを、プレビュー画像３１０２Ｂの背景部分における、当該プレビュー画像３１０２Ｂが現在表示されている位置に挿入することで、プレビュー画像３１０２Ｂの移動位置を確定する（ステップＳ１００８）。このようにして、ユーザは、画像データの並び順をページ単位で入れ替えることができる。
【０１００】
ユーザは、画像編集モード画面７３００に表示される各種画像編集キー３０３０〜３０３４等を操作することで所望の画像編集を行なった後、プレビュー領域３０００に表示されるＯＫキー３０１９をタッチする。ＯＫキー３０１９がタッチされると、ＣＰＵ３００は、第１押圧がないと判定するとともに（ステップＳ１０００にてＮＯ）、画像編集モードの解除が要求されたと判定し（ステップＳ１００９にてＹＥＳ）画像編集モードを解除する（ステップＳ１０１０）。画像編集モードが解除されると、表示パネル１３２には、コピーモード基本画面（図５参照）が表示される。
【０１０１】
ユーザは、コピーモードにおける各種機能及びパラメータの設定等を行なった後、タスクトリガー領域５０００に表示されるモノクロスタートキー５１０６又はカラースタートキー５１０８をタッチする。モノクロスタートキー５１０６又はカラースタートキー５１０８がタッチされると、上記したスキャンイン処理後のモノクロコピー処理又はカラーコピー処理が実行される。
【０１０２】
［第１の変形例］  
本発明の一実施の形態の第１の変形例は、上記したページ順序変更処理（図７参照）において、ステップＳ１００４の処理がない点を除き、上記した実施の形態と同じである。
【０１０３】
〈動作〉  
図８、図９、及び図１３を参照して、本変形例に係る画像形成装置１００は、以下のように動作する。以下の動作を除く、本変形例に係る画像形成装置１００の動作は、上記した実施の形態に係る画像形成装置１００の動作と同じである。
【０１０４】
図８を参照して、ユーザは、画像編集モード画面７３００を確認し、プレビュー領域３０００に表示される複数ページのプレビュー画像３１０２Ａ〜３１０２Ｄの中から所望のページのプレビュー画像３１０２Ｂを選択して、右手６０００の人差し指で押下する。プレビュー画像３１０２Ｂが押下されると、ＣＰＵ３００は、第１押圧があると判定する（ステップＳ２０００にてＹＥＳ）。
【０１０５】
（押下しているプレビュー画像３１０２Ｂの背景部分に所望の挿入位置が表示されていない場合の動作）  
図９を参照して、ユーザは、プレビュー画像３１０２Ｂを押下した状態のまま、右手６０００の人差し指を、画面右方向に移動させる。上記した指の移動がなされると、ＣＰＵ３００は、ドラッグ操作がなされたと判定し（ステップＳ２００１にてＹＥＳ）、ドラッグ操作の移動軌跡に応じて、押下されたページのプレビュー画像３１０２Ｂを移動させる（ステップＳ２００２）。このとき、プレビュー領域３０００では、プレビュー画像３１０２Ｂの画面右方向の移動に伴って、プレビュー画像３１０２Ｂに後続するページのプレビュー画像３１０２Ｃ，３１０２Ｄ等が、１ページ分ずつ繰上げられて表示される。ＣＰＵ３００は、第１押圧が維持されていると判定するとともに（ステップＳ２００３にてＹＥＳ）、第２押圧がないと判定する間は（ステップＳ２００４にてＮＯ）、上記したプレビュー画像３１０２Ｂの移動動作を繰返す（ステップＳ２００１、ステップＳ２００２）。
【０１０６】
ユーザは、プレビュー画像３１０２Ｂを所望の位置まで移動させると、プレビュー画像３１０２Ｂを押下した状態のままドラッグ操作を停止する。そして、プレビュー画像３１０２Ｂを右手６０００の人差し指で押下した状態のまま、押下しているプレビュー画像３１０２Ｂの背景部分を左手６００２の人差し指で押下する。ＣＰＵ３００は、第１押圧が維持されていると判定するとともに（ステップＳ２００３にてＹＥＳ）、第２押圧があると判定する（ステップＳ２００４にてＹＥＳ）。
【０１０７】
ユーザは、左手６００２の人差し指の指先で、背景部分を画面左方向に複数回軽く払う。上記した指の移動がなされると、ＣＰＵ３００は、フリック操作がなされたと判定し（ステップＳ２００５にてＹＥＳ）、押下されているプレビュー画像３１０２Ｂの背景部分をスクロールさせる（ステップＳ２００６）。このとき、スクロールの方向及び速度は、タッチパネル１３４が検出したフリック操作の方向及び速度に基づいて決定される。ユーザは、背景部分に所望の挿入位置が表示されるまで、上記したフリック操作を繰返す（ステップＳ２００４〜ステップＳ２００６）。
【０１０８】
ユーザは、背景部分に所望の挿入位置が表示されると、フリック操作を停止する。フリック操作が停止されると、ＣＰＵ３００は、第２押圧がないと判定する（ステップＳ２００４にてＮＯ）。
【０１０９】
フリック操作の停止後、ユーザは、プレビュー画像３１０２Ｂから、右手６０００の人差し指を離す。右手６０００の人差し指が離されると、ＣＰＵ３００は、ドラッグ操作はなされていないと判定するとともに（ステップＳ２００１にてＮＯ）、第１押圧が維持されていないと判定し（ステップＳ２００３にてＮＯ）、押圧されていたプレビュー画像３１０２Ｂを、プレビュー画像３１０２Ｂの背景部分における、当該プレビュー画像３１０２Ｂが現在表示されている位置に挿入することで、プレビュー画像３１０２Ｂの移動位置を確定する（ステップＳ２００７）。
【０１１０】
なお、上記説明では、ユーザは、プレビュー画像３１０２Ｂの移動を停止させた状態で第２押圧を行なったが、プレビュー画像３１０２Ｂの移動を移動させた状態で、第２押圧を行なった場合においても、同様の動作が実行される。
【０１１１】
［第２の変形例］  
本発明の一実施の形態の第２の変形例は、上記したページ順序変更処理（図７参照）の一部が異なる点を除き、上記した実施の形態と同じである。
【０１１２】
〈ソフトウェア構成〉  
（ページ順序変更処理）  
図１４を参照して、本変形例に係るページ順序変更処理を実現するためのプログラムにおいて、ステップＳ３０００〜ステップＳ３００４及びステップＳ３０１１〜ステップＳ３０１３の処理は、図７に示すステップＳ１０００〜ステップＳ１００４及びステップＳ１００８〜ステップｓ１０１０の処理と同じである。以下、異なる処理について説明する。
【０１１３】
このプログラムは、ステップＳ３００４にて、プレビュー画像３１０２が画面端部に到達したと判定された場合（ＹＥＳの場合）に実行され、予め定める所定の方向及び予め定める所定の速度でプレビュー画像３１０２の背景部分を自動スクロールさせるステップＳ３００５と、第１押圧が解除されたか否かを判定するステップＳ３００６と、を含む。
【０１１４】
このプログラムはさらに、ステップＳ３００６にて、第１押圧が解除されていないと判定された場合（ＮＯの場合）に実行され、第２押圧があるか否かを判定するステップＳ３００８と、ステップＳ３００８にて、第２押圧があると判定された場合（ＹＥＳの場合）に実行され、フリック操作がなされたか否かを判定するステップＳ３００９と、ステップＳ３００９にて、フリック操作がなされたと判定された場合（ＹＥＳの場合）に実行され、プレビュー画像３１０２の背景部分をスクロールさせるステップＳ３０１０と、を含む。ステップＳ３０１０にて、スクロールの方向及び速度は、タッチパネル１３４が検出したフリック操作の方向及び速度に基づいて決定される。ステップＳ３００８にて、第２押圧がないと判定された場合（ＮＯの場合）、ステップＳ３００９にて、フリック操作がなされていないと判定された場合（ＮＯの場合）、又は、ステップＳ３０１０の処理後には、制御はステップＳ３００６に戻る。
【０１１５】
このプログラムはさらに、ステップＳ３００６にて、第１押圧が解除されたと判定された場合（ＹＥＳの場合）に実行され、押圧されていたプレビュー画像３１０２を、プレビュー画像３１０２の背景部分における、当該プレビュー画像３１０２が現在表示されている位置に挿入することで、プレビュー画像３１０２の移動位置を確定するステップＳ３００７を含む。ステップＳ３００７の処理後、制御はステップＳ３０００に戻る。
【０１１６】
〈動作〉  
図８〜図１０、及び図１４を参照して、本変形例に係る画像形成装置１００は、以下のように動作する。以下の動作を除く、本変形例に係る画像形成装置１００の動作は、上記した実施の形態に係る画像形成装置１００の動作と同じである。
【０１１７】
図８を参照して、ユーザは、画像編集モード画面７３００を確認し、プレビュー領域３０００に表示される複数ページのプレビュー画像３１０２Ａ〜３１０２Ｄの中から所望のページのプレビュー画像３１０２Ｂを選択して、右手６０００の人差し指で押下する。プレビュー画像３１０２Ｂが押下されると、ＣＰＵ３００は、第１押圧があると判定する（ステップＳ３０００にてＹＥＳ）。
【０１１８】
（押下しているプレビュー画像３１０２Ｂの背景部分に所望の挿入位置が表示されていない場合の動作）  
図９を参照して、ユーザは、プレビュー画像３１０２Ｂを押下した状態のまま、右手６０００の人差し指を、画面右方向に移動させる。上記した指の移動がなされると、ＣＰＵ３００は、ドラッグ操作がなされたと判定し（ステップＳ３００１にてＹＥＳ）、ドラッグ操作の移動軌跡に応じて、押下されたページのプレビュー画像３１０２Ｂを移動させる（ステップＳ３００２）。このとき、プレビュー領域３０００では、プレビュー画像３１０２Ｂの画面右方向の移動に伴って、プレビュー画像３１０２Ｂに後続するページのプレビュー画像３１０２Ｃ，３１０２Ｄ等が、１ページ分ずつ繰上げられて表示される。ＣＰＵ３００は、第１押圧が維持されていると判定するとともに（ステップＳ３００３にてＹＥＳ）、プレビュー画像３１０２Ｂが画面端部に到達していないと判定する間は（ステップＳ３００４にてＮＯ）、上記したプレビュー画像３１０２Ｂの移動動作を繰返す（ステップＳ３００１、ステップＳ３００２）。
【０１１９】
図１０を参照して、ユーザは、プレビュー画像３１０２Ｂを画面右端部まで移動させると、プレビュー画像３１０２Ｂを押下した状態のままドラッグ操作を停止する。ＣＰＵ３００は、第１押圧が維持されていると判定するとともに（ステップＳ３００３にてＹＥＳ）、プレビュー画像３１０２Ｂが画面端部に到達したと判定すると（ステップＳ３００４にてＹＥＳ）、予め定める所定の方向及び予め定める所定の速度でプレビュー画像３１０２Ｂの背景部分を自動スクロールさせる（ステップＳ３００５）。
【０１２０】
ユーザは、例えば、プレビュー画像３１０２Ｂの背景部分をより速くスクロールさせるために、画面右端部のプレビュー画像３１０２Ｂを右手６０００の人差し指で押下した状態のまま、押下しているプレビュー画像３１０２Ｂの背景部分を左手６００２の人差し指で押下する。背景部分が押下されると、ＣＰＵ３００は、第１押圧は解除されていないと判定するとともに（ステップＳ３００６にてＮＯ）、第２押圧があると判定する（ステップＳ３００８にてＹＥＳ）。
【０１２１】
ユーザは、左手６００２の人差し指の指先で、背景部分を画面左方向に複数回軽く払う。上記した指の移動がなされると、ＣＰＵ３００は、フリック操作がなされたと判定し（ステップＳ３００９にてＹＥＳ）、押下されているプレビュー画像３１０２Ｂの背景部分をスクロールさせる（ステップＳ３０１０）。このとき、スクロールの方向及び速度は、タッチパネル１３４が検出したフリック操作の方向及び速度に基づいて決定される。ユーザは、背景部分に所望の挿入位置が表示されるまで、上記したフリック操作を繰返す（ステップＳ３００６〜ステップＳ３０１０）。
【０１２２】
ユーザは、背景部分に所望の挿入位置が表示されると、フリック操作を停止する。フリック操作が停止されると、ＣＰＵ３００は、第２押圧がないと判定する（ステップＳ３００８にてＮＯ）。
【０１２３】
フリック操作の停止後、ユーザは、プレビュー画像３１０２Ｂから、右手６０００の人差し指を離す。右手６０００の人差し指が離されると、ＣＰＵ３００は、第１押圧が解除されたと判定し（ステップＳ３００６にてＹＥＳ）、押圧されていたプレビュー画像３１０２Ｂを、プレビュー画像３１０２Ｂの背景部分における、当該プレビュー画像３１０２Ｂが現在表示されている位置に挿入することで、プレビュー画像３１０２Ｂの移動位置を確定する（ステップＳ３００７）。
【０１２４】
〈作用・効果〉
上記実施の形態及びその変形例によれば、操作ユニット１２０は、画面を表示する表示パネル１３２と、表示パネル１３２に重ねて配置され、画面に対するユーザの操作を受付けるタッチパネル１３４と、を含むタッチパネルディスプレイ１３０を備える操作装置である。このタッチパネルディスプレイ１３０を制御するＣＰＵ３００は、表示パネル１３２に対し、移動可能に表示される複数ページのプレビュー画像３１０２を含む画像編集モード画面７３００を表示させる。そして、タッチパネル１３４に対するユーザの操作に基づいて、複数のプレビュー画像３１０２のうちのいずれかが選択された状態（第１押圧）であることを検出すると、選択された状態のプレビュー画像３１０２を除いた複数のプレビュー画像３１０２に対する移動指示（第２押圧及びフリック操作）がなされたか否かを、タッチパネル１３４に対するユーザの操作に基づいて判定し、移動指示がなされたと判定した場合には、選択された状態のプレビュー画像３１０２を除いた複数のプレビュー画像３１０２をスクロールさせる。
【０１２５】
これによって、サイズの小さい画像編集モード画面７３００内のプレビュー画像３１０２を所望の位置まで移動させたい場合等に、プレビュー画像３１０２の移動を効率よく行なうことができる。また２本の指を使用して表示画像の移動に対する指示を出すことができる。したがって、ユーザの利便性が向上する。
【０１２６】
また上記実施の形態及びその第２の変形例によれば、ＣＰＵ３００は、複数のプレビュー画像３１０２のうちのいずれかが選択された状態であることを検出すると、選択された状態のプレビュー画像３１０２の移動が予め定める所定位置（画像編集モード画面７３００の端部）で停止しているか否かを、タッチパネル１３４に対するユーザの操作に基づいて判定する。そして、選択された状態のプレビュー画像３１０２の移動が予め定める所定位置（画像編集モード画面７３００の端部）で停止していると判定した場合に、移動指示（第２押圧及びフリック操作）があるか否かを判定する。
【０１２７】
このように、選択された状態のプレビュー画像３１０２の移動が予め定める所定位置（画像編集モード画面７３００の端部）で停止している場合に、上記した移動指示がなされたか否かが判定されるので、ユーザの誤操作によって複数のプレビュー画像３１０２のスクロールが行なわれてしまうことを防ぐことができる。さらに、予め定める所定位置が画像編集モード画面７３００の端部であるので、ユーザは、タッチパネル１３４に対する操作による上記した移動指示をより一層行ないやすくなる。したがって、プレビュー画像３１０２の移動をさらに効率よく行なうことができる。
【０１２８】
また上記第２の変形例によれば、ＣＰＵ３００は、選択された状態のプレビュー画像３１０２の移動が予め定める所定位置（画像編集モード画面７３００の端部）で停止していると判定した場合に、選択された状態のプレビュー画像３１０２を除いた複数のプレビュー画像３１０２を、予め定める所定の方向及び予め定める所定の速度で自動スクロールさせる。これによって、プレビュー画像３１０２の移動をさらに効率よく行なうことができる。また、予め所定位置を定めておくことで、自動スクロールを効率よく開始することができる。
【０１２９】
また上記実施の形態及びその変形例によれば、ＣＰＵ３００は、タッチパネル１３４に対するユーザの操作に基づいて、スクロールの方向、及び、スクロールの速度を決定する。これによって、ユーザは、選択された状態のプレビュー画像３１０２を除いた複数のプレビュー画像３１０２を、所望の方向及び所望の速度でスクロールさせることができる。したがって、特に、自動スクロールの速度が遅すぎたり速すぎたりする場合等において、
スクロールの方向及び速度の調整が可能になるので、ユーザの利便性がより一層向上する。
【０１３０】
また上記実施の形態によれば、ＣＰＵ３００は、移動指示がなされたか否かを、タッチパネル１３４に対するユーザのフリック操作に基づいて判定する。さらに、フリック操作の速度を検出し、検出速度に基づいて、スクロールの速度を決定する。これによって、ユーザは、選択された状態のプレビュー画像３１０２を除いた複数のプレビュー画像３１０２を、より一層容易に、所望の速度でスクロールさせることができる。したがって、ユーザの利便性がさらに向上する。
【０１３１】
また上記実施の形態によれば、画像形成装置１００は、タッチパネルディスプレイ１３０を含む操作ユニット１２０を備えるので、画像形成対象のプレビュー画像３１０２の並び順等を容易に変更することができる。したがって、ユーザの利便性の高い画像形成装置１００を提供することができる。
【０１３２】
〈その他の変形例〉  
なお、上記実施の形態によれば、第１押圧及び第２押圧は、それぞれ、右手の人差し指及び左手の人差し指によって行なわれたが、本発明はそのような実施の形態に限定されない。例えば、右手の人差し指及び親指によって行なわれてもよい。
【０１３３】
また上記実施の形態において、複数ページのプレビュー画像３１０２は、画面左右方向にスクロール可能であったが、本発明はそのような実施の形態に限定されない。例えば、画面上下方向にスクロール可能であってもよい。
【０１３４】
また上記実施の形態では、押下されているプレビュー画像３１０２Ｂが、画面端部で停止した場合に、移動指示（第２押圧）がなされたか否かが判定されたが、本発明はそのような実施の形態に限定されない。例えば、押下されているプレビュー画像３１０２Ｂが、移動している状態で移動指示がなされたか否かが判定されてもよい。さらには、押下されているプレビュー画像３１０２Ｂが、ユーザが所望する位置で停止した場合に移動指示がなされたか否かが判定されてもよい。このように、選択された状態のプレビュー画像３１０２の移動が所望の位置に停止している場合に、上記した移動指示がなされたか否かが判定されることによって、ユーザの誤操作によって画面のスクロールが行なわれてしまうことを防ぐことができる。したがって、画像の移動をより一層効率よく行なうことができる。
【０１３５】
また上記実施の形態では、ページ順序変更処理はコピーモードにおいて実行されたが、本発明はそのような実施の形態に限定されない。例えば、ＦＡＸモードにおいて実行されてもよい。
【０１３６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１３７】
１００  画像形成装置
１２０  操作ユニット
１３０  タッチパネルディスプレイ
１３２  表示パネル
１３４  タッチパネル
３００  ＣＰＵ
３１０２  プレビュー画像
７３００  画像編集モード画面
【図１】
2012048525.tif 000003
【図２】
2012048525.tif 000004
【図３】
2012048525.tif 000005
【図４】
2012048525.tif 000006
【図５】
2012048525.tif 000007
【図６】
2012048525.tif 000008
【図７】
2012048525.tif 000009
【図８】
2012048525.tif 000010
【図９】
2012048525.tif 000011
【図１０】
2012048525.tif 000012
【図１１】
2012048525.tif 000013
【図１２】
2012048525.tif 000014
【図１３】
2012048525.tif 000015
【図１４】
2012048525.tif 000016